(57)【特許請求の範囲】
【請求項１】
複数の電極を有し、検出面に物体が近接した際に前記複数の電極と前記物体との間に生じる静電容量に応じて入力操作を受付ける静電入力装置であって、
前記静電容量に対応した変量を検出する変量検出部と、
前記変量検出部で検出される変量に基づいて、前記検出面に近接する物体が指先であるか掌であるかを判定する判定部と、
前記判定部で前記検出面に近接する物体が掌であると判定された場合に、前記検出面への入力操作の受付けを一定時間禁止する制御部とを有し、
前記判定部は、
変量検出部で検出される前記検出面の特定領域内の複数の電極に対応する変量の積算値が第１の閾値を超えると、前記検出面に近接する物体が掌であると判定する、
静電入力装置。
【請求項２】
複数の電極を有し、検出面に物体が近接した際に前記複数の電極と前記物体との間に生じる静電容量に応じて入力操作を受付ける静電入力装置であって、
前記静電容量に対応した変量を検出する変量検出部と、
前記変量検出部で検出される変量に基づいて、前記検出面に近接する物体が指先であるか掌であるかを判定する判定部と、
前記判定部で前記検出面に近接する物体が掌であると判定された場合に、前記検出面への入力操作の受付けを一定時間禁止する制御部とを有し、
前記判定部は、
変量検出部で検出される前記検出面の特定領域内の複数の電極に対応する変量の積算値の移動平均値が第２の閾値を超えると、前記検出面に近接する物体が掌であると判定する、
静電入力装置。
【請求項３】
前記制御部は、
前記判定部で前記検出面に近接する物体が掌であると判定された場合に、前記検出面の禁止領域への入力操作の受付けを一定時間禁止する請求項１又は請求項２に記載の静電入力装置。
【請求項４】
前記制御部は、
前記禁止領域以外への入力操作が行われた場合、前記検出面への入力操作の禁止を解除する請求項３に記載の静電入力装置。
【請求項５】
前記制御部は、
前記検出面の端部に前記特定領域を設定する請求項１乃至請求項４のいずれかに記載の静電入力装置。
【請求項６】
前記制御部は、
前記検出面に複数の前記特定領域を設定する請求項１乃至請求項５のいずれかに記載の静電入力装置。
【請求項７】
前記制御部は、
複数設定された前記特定領域毎に前記検出面の禁止領域への入力操作の受付けを一定時間禁止する処理を実施する請求項６に記載の静電入力装置。
【請求項８】
複数の電極を有し、検出面に物体が近接した際に前記複数の電極と前記物体との間に生じる静電容量に応じて入力操作を受付ける静電入力装置が実行する静電入力装置用プログラムであって、
前記静電容量に対応した変量を検出する第１工程と、
検出される変量に基づいて、前記検出面に近接する物体が指先であるか掌であるかを判定する第２工程と、
前記検出面に近接する物体が掌であると判定された場合に、前記検出面への入力操作の受付けを一定時間禁止する第３工程とを前記静電入力装置に実行させ、
前記第２工程では、
前記第１工程で検出される前記検出面の特定領域内の複数の電極に対応する変量の積算値が第１の閾値を超えると、前記検出面に近接する物体が掌であると判定する、
静電入力装置用プログラム。
【請求項９】
複数の電極を有し、検出面に物体が近接した際に前記複数の電極と前記物体との間に生じる静電容量に応じて入力操作を受付ける静電入力装置が実行する静電入力装置用プログラムであって、
前記静電容量に対応した変量を検出する第１工程と、
検出される変量に基づいて、前記検出面に近接する物体が指先であるか掌であるかを判定する第２工程と、
前記検出面に近接する物体が掌であると判定された場合に、前記検出面への入力操作の受付けを一定時間禁止する第３工程とを前記静電入力装置に実行させ、
前記第２工程では、
前記第１工程で検出される前記検出面の特定領域内の複数の電極に対応する変量の積算値の移動平均値が第２の閾値を超えると、前記検出面に近接する物体が掌であると判定する、
静電入力装置用プログラム。
【発明の詳細な説明】
【技術分野】
【０００１】
本発明は、ノートＰＣ等に搭載されるタッチパッドに関するものである。
【背景技術】
【０００２】
ノートＰＣ等には、通常、ポインティングデバイスの一種であるタッチパッドが搭載される。ユーザは、このタッチパッドを指でなぞることでマウスポインタを操作することができる。近年では、このタッチパッドが大型化しており、キーボードを操作するときに掌（パーム）がタッチパッドに接触しやすくなっている。このため、誤操作が生じやすい。
【０００３】
そこで、接触位置がパームの置かれる機会が多い周辺部であるときは、接触領域の面積および長さに対応する空間特性（面積および縦横比）が所定の面積および長さに対応する第１条件を超えるときに接触領域はパームによるものと判定するとともに、その空間特性が第１条件を超えないときにその接触領域は指先によるものと判定する。そして、接触位置が指先の置かれる機会が多い中心部であるときは、その空間特性が第１条件よりも大きい面積および長さに対応する第２条件を超えるときに接触領域はパームによるものと判定するとともに、その空間特性が第２条件を超えないときに接触領域は指先によるものと判定するタッチパッドが提案されている。
【先行技術文献】
【特許文献】
【０００４】
【特許文献１】特開２０１５−３２１７７号
【発明の概要】
【発明が解決しようとする課題】
【０００５】
以上のように、従来から掌による誤操作を効果的に防止できるとともに、指先による正規の操作を円滑に行なうことができるタッチパッドが求められている。
【０００６】
本発明はかかる事情に鑑みてなされたものであり、その目的は、掌による誤操作を効果的に防止できるとともに、指先による正規の操作を円滑に行なうことができる静電入力装置及び静電入力装置用プログラムを提供することにある。
【課題を解決するための手段】
【０００７】
本発明に係る静電入力装置は、複数の電極を有し、検出面に物体が近接した際に前記複数の電極と前記物体との間に生じる静電容量に応じて入力操作を受付ける静電入力装置であって、前記静電容量に対応した変量を検出する変量検出部と、前記変量検出部で検出される変量に基づいて、前記検出面に近接する物体が指先であるか掌であるかを判定する判定部と、前記判定部で前記検出面に近接する物体が掌であると判定された場合に、前記検出面への入力操作の受付けを一定時間禁止する制御部とを有し、前記判定部は、変量検出部で検出される前記検出面の特定領域内の複数の電極に対応する変量の積算値が第１の閾値を超えると、前記検出面に近接する物体が掌であると判定する。
【０００８】
上記の構成によれば、静電容量に対応した変量を検出する変量検出部と、変量検出部で検出される変量に基づいて、検出面に近接する物体が指先であるか掌であるかを判定する判定部と、判定部で検出面に近接する物体が掌であると判定された場合に、検出面への入力操作の受付けを一定時間禁止する制御部とを有するので、検出面に近接する物体が掌であると判定された場合に掌による入力操作が禁止され、掌による誤操作を効果的に防止できるとともに、指先による正規の操作を円滑に行なうことができる。また、接触の状態（接触領域の面積、長さ等）だけで見た場合、掌でも少ししか触れない場合は、指と判別できない。近接状態でも見ることで、大きいものと小さいものの判別精度が向上する（積算でみるとさらに判別精度が向上する）。
【０００９】
掌が検出面に触れていない場合、電極の静電容量に対応する変量が非常に小さく検出が困難であるが、上記の構成によれば、変量検出部で検出される検出面の特定領域内の複数の電極に対応する変量の積算値を用いているので、掌が検出面に触れておらず電極の静電容量に対応する変量が非常に小さい場合でも、掌が検出面に近接していることが判定できる。このため、掌による誤操作を効果的に防止できるとともに、指先による正規の操作を円滑に行なうことができる。また、指に対して掌は大きいため、個々の静電容量に対応する変量は小さくても領域内の積算値を使用することで掌が検出面に近接していることを判定することができる。
【００１０】
本発明に係る静電入力装置は、複数の電極を有し、検出面に物体が近接した際に前記複数の電極と前記物体との間に生じる静電容量に応じて入力操作を受付ける静電入力装置であって、前記静電容量に対応した変量を検出する変量検出部と、前記変量検出部で検出される変量に基づいて、前記検出面に近接する物体が指先であるか掌であるかを判定する判定部と、前記判定部で前記検出面に近接する物体が掌であると判定された場合に、前記検出面への入力操作の受付けを一定時間禁止する制御部とを有し、前記判定部は、変量検出部で検出される前記検出面の特定領域内の複数の電極に対応する変量の積算値の移動平均値が第２の閾値を超えると、前記検出面に近接する物体が掌であると判定する。
【００１１】
上記の構成によれば、積算値の移動平均値を用いて検出面に近接する物体が掌であると判定しているので、突発的に積算値が上がったり下がったりするようなノイズによる影響を緩和することができる。このため、掌が検出面に近接していることをより正確に判定することができる。
【００１２】
好適には、本発明の前記制御部は、前記判定部で前記検出面に近接する物体が掌であると判定された場合に、前記検出面の禁止領域への入力操作の受付けを一定時間禁止する。
【００１３】
上記の構成によれば、検出面に近接する物体が掌であると判定された場合に、掌が触れやすい領域への入力操作の受付けを禁止することができる。このため、指先による正規の操作を円滑に行なうことができる。
【００１４】
好適には、本発明は、前記制御部は、前記禁止領域以外への入力操作が行われた場合、前記検出面への入力操作の禁止を解除する。
【００１５】
上記の構成によれば、特定領域以外への入力操作が行われた場合、指による操作である確率が高いことから、特定領域への入力操作の禁止を解除することで、指先による正規の操作を円滑に行なうことができる。
【００１６】
好適には、本発明の前記制御部は、前記検出面の端部に前記特定領域を設定する。
【００１７】
上記構成によれば、掌の触れやすい検出面の端部に特定領域を設定することで、掌による誤操作をより効果的に防止できる。
【００１８】
好適には、本発明の前記制御部は、前記検出面に複数の前記特定領域を設定する。
【００１９】
上記構成によれば、検出面に複数の特定領域を設定することで、掌の触れやすい検出面の上端や左右両端への掌による誤操作を効果的に防止できる。
【００２０】
好適には、本発明の前記制御部は、複数設定された前記特定領域毎に前記検出面の禁止
領域への入力操作の受付けを一定時間禁止する処理を実施する。
【００２１】
上記構成によれば、検出面に複数の特定領域を設定することで、掌の触れやすい検出面の上端や左右両端への掌による誤操作を効果的に防止できる。
【００２２】
本発明に係る静電入力装置用プログラムは、複数の電極を有し、検出面に物体が近接した際に前記複数の電極と前記物体との間に生じる静電容量に応じて入力操作を受付ける静電入力装置が実行する静電入力装置用プログラムであって、前記静電容量に対応した変量を検出する第１工程と、検出される変量に基づいて、前記検出面に近接する物体が指先であるか掌であるかを判定する第２工程と、前記検出面に近接する物体が掌であると判定された場合に、前記検出面への入力操作の受付けを一定時間禁止する第３工程とを前記静電入力装置に実行させ、前記第２工程では、前記第１工程で検出される前記検出面の特定領域内の複数の電極に対応する変量の積算値が第１の閾値を超えると、前記検出面に近接する物体が掌であると判定する。
【００２３】
上記の構成によれば、静電容量に対応した変量を検出する工程と、検出される変量に基づいて、検出面に近接する物体が指先であるか掌であるかを判定する工程と、判定部で検出面に近接する物体が掌であると判定された場合に、検出面への入力操作の受付けを一定時間禁止する工程とを有するので、検出面に近接する物体が掌であると判定された場合に掌による入力操作が禁止され、掌による誤操作を効果的に防止できるとともに、指先による正規の操作を円滑に行なうことができる。
【００２４】
本発明に係る静電入力装置用プログラムは、複数の電極を有し、検出面に物体が近接した際に前記複数の電極と前記物体との間に生じる静電容量に応じて入力操作を受付ける静電入力装置が実行する静電入力装置用プログラムであって、前記静電容量に対応した変量を検出する第１工程と、検出される変量に基づいて、前記検出面に近接する物体が指先であるか掌であるかを判定する第２工程と、前記検出面に近接する物体が掌であると判定された場合に、前記検出面への入力操作の受付けを一定時間禁止する第３工程とを前記静電入力装置に実行させ、前記第２工程では、前記第１工程で検出される前記検出面の特定領域内の複数の電極に対応する変量の積算値の移動平均値が第２の閾値を超えると、前記検出面に近接する物体が掌であると判定する。
【発明の効果】
【００２５】
本発明の静電入力装置及び静電入力装置用プログラムによれば、掌による誤操作を効果的に防止できるとともに、指先による正規の操作を円滑に行なうことができる。
【図面の簡単な説明】
【００２６】
【図１】本発明の実施形態に係る静電入力装置をノートＰＣに搭載した図である。
【図２】本発明の実施形態に係る静電入力装置のシステム構成図である。
【図３】本発明の実施形態に係る静電入力装置の平面図である。
【図４】本発明の実施形態に係る静電入力装置の動作を説明するフローチャートである。
【発明を実施するための形態】
【００２７】
（実施形態）
図１は、実施形態に係る静電入力装置２をノートＰＣ１に搭載した図である。図２は、実施形態に係る静電入力装置２の平面図である。図３は、実施形態に係る静電入力装置２のシステム構成図である。以下、図１〜図３を参照して、実施形態に係る静電入力装置２の構成について説明する。
【００２８】
静電入力装置２は、例えばタッチパッドであり、図１に示すようにノートＰＣ１に搭載される。静電入力装置２の最上面には操作板が貼り付けられ、操作板の表面がユーザによる操作を検出する検出面３となっている。
【００２９】
図２に示すように、検出面３には複数の特定領域３Ａ〜３Ｃが設定されている。ここで、特定領域３Ａ〜３Ｃは、図１に示すキーボードや検出面３への入力操作中に掌が触れやすい検出面３の端部に設定されている。掌の触れやすい検出面３の端部に特定領域３Ａ〜３Ｃを設定することで、掌の接触や近接による誤操作を効果的に防止することができる。
【００３０】
なお、この実施形態では、図２に向かって検出面３の上端に特定領域３Ａを、検出面３の右端に特定領域３Ｂを、検出面３の左端に特定領域３Ｃを夫々設定しているが、特定領域の設定は、図２に示す例に限られるものではなく、特定領域を検出面３に一つだけ設定してもよいし、４つ以上の特定領域を検出面３に設定するようにしてもよい。また、特定領域を検出面３の端部以外にも設定してもよい。なお、この特定領域３Ａ〜３Ｃは、後述する制御手段８により検出面３上に設定されているものであり、物理的に分離されているものではない。
【００３１】
図３に示すように、静電入力装置２は基板４に敷設された複数のＸ電極５および複数のＹ電極６を備えており、これらの電極は配線７を介して制御手段８に接続されている。制御手段８は、Ｘ電極５とＹ電極６のどちらか一方を駆動電極として電圧を印加し、他方を検出電極として電圧を検出し、基板４に指や掌等が近接した場合の静電容量に対応する変量を検出して掌の近接を検出する。なお本実施例のＸ電極５およびＹ電極６は、静電容量値に変換される電圧を出力する検出手段であるが、これに限らず、例えばタッチパッド操作時の操作圧等の他の変量を検出し出力する方式であってもよい。
【００３２】
図３に示すように、制御手段８は、変量検出部８１、積算値算出部８２、移動平均値算出部８３、判定部８４、制御部８５及びカウンタ８６を有する。変量検出部８１は、Ｘ電極５及びＹ電極６静電容量に対応した変量を検出する。積算値算出部８２は、変量検出部８１で検出される検出面３の特定領域３Ａ〜３Ｃ内の複数の電極に対応する変量の積算値を、特定領域３Ａ〜３Ｃごとに算出する。
【００３３】
制御手段８は、例えば、マイコン等であり、静電入力装置用プログラム１０１を実行することで、図３に示す変量検出部８１、積算値算出部８２、移動平均値算出部８３、判定部８４、制御部８５及びカウンタ８６の少なくとも一部の機能を実現する。
【００３４】
移動平均値算出部８３は、積算値算出部８２で特定領域３Ａ〜３Ｃごとに算出される積算値の移動平均値（移動平均値は時間軸における移動平均値の意）を特定領域３Ａ〜３Ｃごとに算出する。なお、この実施形態の移動平均値算出部８３は、単純移動平均により特定領域３Ａ〜３Ｃごとに算出される積算値の移動平均値を算出するが、加重移動平均や指数移動平均により特定領域３Ａ〜３Ｃごとに算出される積算値の移動平均値を算出してもよい。
【００３５】
判定部８４は、検出面３へのタッチ操作の有無を判定する。また、判定部８４は、変量検出部８１で検出される変量に基づいて、検出面３に近接する物体が指先であるか掌であるかを判定する。具体的には、判定部８４は、移動平均値算出部８３で特定領域３Ａ〜３Ｃごとに算出された移動平均値を、特定領域３Ａ〜３Ｃごとに設けられた閾値Ａ〜Ｃ（第２の閾値）と夫々比較する。
【００３６】
判定部８４は、比較の結果、特定領域３Ａ〜３Ｃごとの移動平均値が対応する閾値Ａ〜Ｃを超えている場合、掌である判定し、対応する閾値Ａ〜Ｃを超えていない場合、指先であると判定する。
【００３７】
例えば、比較の結果、特定領域３Ａの移動平均値が対応する閾値Ａを超えている場合、判定部８４は、特定領域３Ａに掌が近接していると判定する。同様に、特定領域３Ｂの移動平均値が対応する閾値Ｂを超えている場合、判定部８４は、特定領域３Ｂに掌が近接していると判定する。さらに、特定領域３Ｃの移動平均値が対応する閾値Ｃを超えている場合、判定部８４は、特定領域３Ｃに掌が近接していると判定する。
【００３８】
制御部８５は、カウンタの図２で説明した特定領域３Ａ〜３Ｃを検出面３の端部に設定する。また、制御部８５は、判定部８４で検出面３に近接する物体が掌であると判定された場合に、検出面３への入力操作の受付けを禁止する。
【００３９】
具体的には、制御部８５は、判定部８４で検出面３に近接する物体が掌であると判定されている場合に、近接する物体が掌であると判定された特定領域に対する入力操作の受付けを一定時間禁止する。ここで、制御部８５は、特定領域に対する入力操作の受付けの一定時間禁止は、特定領域３Ａ〜３Ｃごとに独立して実施する。
【００４０】
つまり、判定部８４で特定領域３Ａに掌が近接していると判定されている場合、制御部８５は特定領域３Ａへの入力操作の受付けを一定時間禁止する。また、判定部８４で特定領域３Ｂに掌が近接していると判定されている場合、制御部８５は特定領域３Ｂへの入力操作の受付けを一定時間禁止する。さらに、判定部８４で特定領域３Ｃに掌が近接していると判定されている場合、制御部８５は特定領域３Ｃへの入力操作の受付けを一定時間禁止する。
【００４１】
なお、入力操作を禁止する領域（禁止領域）は、特定領域３Ａ〜３Ｃに限られず、特定領域（検出領域）と禁止領域（入力操作を禁止する領域）は全く同じでなくても良い。例えば、禁止領域よりも検出領域（特定領域）のほうが（面積が）大きかったり、部分的な大きさの大小があってもよく、近接の検出感度等に応じて、適宜調整される。
【００４２】
また、制御部８５は、入力操作の受付けを禁止しているに、検出面３に対して掌が近接していると判定された特定領域以外への入力操作が行われた場合、掌が近接していると判定された特定領域への入力操作の禁止を解除する。また制御部８５は、カウンタ８６の動作を制御する。
【００４３】
カウンタ８６は、制御部８５の指示に基づいて時間を計測する。なお、入力操作受付禁止時間は特定領域毎に異なる値を指定することとしても良い。
【００４４】
図４は、実施形態に係る静電入力装置２の動作を説明するフローチャートである。以下、図１〜図４を参照して実施形態に係る静電入力装置２の動作を説明する。なお、図４に示すフローチャートの動作は、スタートからエンドまでのサイクルが終了すると、またスタートより次のサイクルが実施される。
【００４５】
初めに、変量検出部８１は、Ｘ電極５及びＹ電極６静電容量に対応した変量を検出する（Ｓ１０１）。次に、判定部８４は、検出面３へのタッチの有無を判定し（Ｓ１０２）、タッチが有る場合（Ｓ１０２のＹｅｓ）、特定領域３Ａ〜３Ｃへの入力であるかを判定する（Ｓ１０３）。特定領域３Ａ〜３Ｃへの入力である場合（Ｓ１０３のＹｅｓ）、判定部８４は、入力操作受付禁止時間に対応するカウンタに残カウンタがあるかを判定する（Ｓ１０４）。
【００４６】
残カウンタがある場合（Ｓ１０４のＹｅｓ）、制御部８５は、入力操作の受付を禁止する（Ｓ１０５）。また、特定領域３Ａ〜３Ｃへの入力でない場合（Ｓ１０３のＮｏ）、制御部８５は、カウンタをクリア（０に）する（Ｓ1０６）。次に、制御部８５は、移動平均値をクリア（０に）し（Ｓ1０７）、入力操作の受付を許可する（Ｓ１０８）。また、残カウンタがない場合（Ｓ１０４のＮｏ）、制御部８５は、移動平均値をクリア（０に）し（Ｓ1０７）、入力操作の受付を許可する（Ｓ１０８）。
【００４７】
また、タッチが無い場合（Ｓ１０２のＮｏ）、積算値算出部８２は、変量検出部８１で検出される検出面３の特定領域３Ａ〜３Ｃ内の複数の電極に対応する変量の積算値を、特定領域３Ａ〜３Ｃごとに算出する（Ｓ１０９）。次に、移動平均値算出部８３は、積算値算出部８２で特定領域３Ａ〜３Ｃごとに算出される積算値の移動平均値を特定領域３Ａ〜３Ｃごとに算出する（Ｓ１１０）。
【００４８】
次に、判定部８４は、変量検出部８１で検出される変量に基づいて、検出面３に近接する物体が指先であるか掌であるかを判定する。具体的には、判定部８４は、移動平均値算出部８３で特定領域３Ａ〜３Ｃごとに算出された移動平均値を、特定領域３Ａ〜３Ｃごとに設けられた閾値Ａ〜Ｃ（第２の閾値）と夫々比較する（Ｓ１１１）。
【００４９】
ここで、判定部８４は、比較の結果、特定領域３Ａ〜３Ｃごとの移動平均値が対応する閾値Ａ〜Ｃを超えている場合（Ｓ１１１のＹｅｓ）掌が近づいていると判定し、制御部８５は、カウンタを、例えば５００ｍｓｅｃにセットする（Ｓ１１２）。カウンタの値は、入力操作受付禁止の時間に対応する。また、閾値を越えていない場合（Ｓ１１１のＮｏ）、制御部８５は、経過時間に合わせカウンタの値を、０となるまで（例えば８ｍｓｅｃ）減らす（Ｓ１１３）。
【００５０】
以上のように、本実施形態に係る静電入力装置２は、複数の電極５，６を有し、検出面３に物体が近接した際に複数の電極５，６と物体との間に生じる静電容量に応じて入力操作を受付ける静電入力装置２であって、静電容量に対応した変量を検出する変量検出部８１と、変量検出部８１で検出される変量に基づいて、検出面３に近接する物体が指先であるか掌であるかを判定する判定部８４と、判定部８４で検出面３に近接する物体が掌であると判定された場合に、検出面３への入力操作の受付けを一定時間禁止する制御部８５とを有している。そして、検出面に近接する物体が掌であると判定された場合に入力操作が禁止されるため、掌による誤操作を効果的に防止できるとともに、指先による正規の操作を円滑に行なうことができる。また、接触の状態（面積、長さ等）で見た場合、掌でも少ししか触れない場合は、指と判別できない。近接状態で見ることで、大きいものと小さいものの判別精度が向上する（積算でみるとさらに判別精度が向上する）。
【００５１】
また、本実施形態に係る静電入力装置２は、特定領域３Ａ〜３Ｃごとに算出される積算値の移動平均値を特定領域３Ａ〜３Ｃごとに算出する積算値算出部８２を有している。掌が検出面に触れていない場合、電極の静電容量に対応する変量が非常に小さく検出が困難であるが、変量検出部８１で検出される検出面の特定領域内の複数の電極に対応する変量の積算値を算出する積算値算出部８２を有しているので、掌が検出面に触れておらず電極の静電容量に対応する変量が非常に小さい場合でも掌が検出面に近接していることが判定できる。このため、掌による誤操作を効果的に防止できるとともに、指先による正規の操作を円滑に行なうことができる。また、指に対して掌は大きいため、個々の静電容量に対応する変量は小さくても領域内の積算値を使用することで掌が検出面に近接していることを判定することができる。
【００５２】
また、本実施形態に係る静電入力装置２は、積算値算出部８２で特定領域３Ａ〜３Ｃごとに算出される積算値の移動平均値を特定領域３Ａ〜３Ｃごとに算出する移動平均値算出部８３を有している。このため、積算値算出部８２で算出される積算値の移動平均値を用いて検出面に近接する物体が掌であると判定することができるので、突発的に積算値が上がったり下がったりするようなノイズによる影響を緩和することができる。このため、掌が検出面に近接していることをより正確に判定することができる。
【００５３】
また、本実施形態に係る静電入力装置２の制御部８５は、検出面３の端部に複数の特定領域３Ａ〜３Ｃを設定し、複数設定された特定領域３Ａ〜３Ｃ毎に検出面３の禁止領域への入力操作の受付けを一定時間禁止する処理を実施する。すなわち、掌の触れやすい検出面３の端部に特定領域を設定することで、掌による誤操作をより効果的に防止できる。また、検出面３に複数の特定領域３Ａ〜３Ｃを設定することで、掌の触れやすい検出面の上端や左右両端への掌による誤操作を効果的に防止できる。
【００５４】
また、本実施形態に係る静電入力装置２の制御部８５は、検出面３に掌が近接していると判定された禁止領域以外への入力操作が行われた場合、検出面３への入力操作の禁止を解除する。禁止領域以外への入力操作が行われた場合、指による操作である確率が高いことから、上記動作を実施することで、禁止領域への入力操作の禁止を解除することで、指先による正規の操作を円滑に行なうことができる。
【００５５】
（その他の実施形態）
なお、本発明は上述した実施形態には限定されない。すなわち、当業者は、本発明の技術的範囲またはその均等の範囲内において、上述した実施形態の構成要素に関し、様々な変更、コンビネーション、サブコンビネーション、並びに代替を行ってもよい。
【００５６】
例えば、上記実施形態では、移動平均値算出部８３が積算値の移動平均値を算出し、判定部８４は、この算出された移動平均値と閾値（第２の閾値）とを比較しているが、積算値算出部８２で算出された積算値を閾値（第１の閾値）と比較するように構成してもよい。さらに、特定領域で接触（Touch）が検出された際に接触位置が所定量以上移動した場合に、入力操作の受付の禁止を解除するように構成しても良い。
【００５７】
また、初めに特定領域で検出された接触（touch）が移動し、接触特定領域外へ出た場合でも、初めの位置より所定量以上動くまでは、入力操作の受付禁止を継続するように構成しても良い。また、他の指・掌判別方法により指操作を確定した場合には、入力操作の受付けの禁止を解除するように構成してもよい。この時、指の操作と確定された操作が、禁止領域以外で行われた操作である時のみ、入力操作の受付禁止を解除するようにしても良い。
【００５８】
また、上述した実施形態では、特定領域として特定領域３Ａ〜３Ｃを例示したが、特定領域の形状および位置は操作中に掌が近接する可能性がある領域であれば特に限定されない。また、禁止領域と、特定領域とを同一とする必要は無く、例えば、禁止領域よりも特定領域のほうが（面積が）大きかったり、部分的な大きさの大小があってもよく、近接の検出感度等に応じて、適宜調整されることが好ましい。
【符号の説明】
【００５９】
１…ノートＰＣ
２…静電入力装置（タッチパッド）
３…検出面
３Ａ〜３Ｃ…特定領域
４…基板
５…Ｘ電極
６…Ｙ電極
７…配線
８…制御手段
８１…変量検出部
８２…積算値算出部
８３…移動平均値算出部
８４…判定部
８５…制御部
８６…カウンタ
１０１…静電入力装置用プログラム
【図１】
0006546104.tif 000002
【図２】
0006546104.tif 000003
【図３】
0006546104.tif 000004
【図４】
0006546104.tif 000005